(57)【要約】  ２つ以上の基地局および／または基地局セクタ間のモバイルのワイヤレス送受信ユニット（ＷＴＲＵ）のソフトハンドオーバおよびソフターハンドオーバのための、ワイヤレス通信システム、方法および装置を提供する。ネットワーク制御ユニットは、選択された基地局を割り当てて、基地局または基地局セクタのサービスの地理的領域に配置されているＷＴＲＵに基づいて、通信データをＷＴＲＵに送信する。ＷＴＲＵの結合検出（ＪＤ）受信器は、一連の時間フレームの各々において、１つまたは複数のワイヤレスデータ信号を受信して処理するように構成されており、共通のタイムスロット内で受信される各信号は、同一の通信データを符号化する一意的なチャネルを有する。ＪＤ受信器は、共通のタイムスロット内の受信信号を評価する複数のチャネルの評価器と、チャネルの評価値を復号かつ結合して合成データ信号を抽出するように構成された結合器とを有する。
2007504784.tif 000002
【特許請求の範囲】
【請求項１】
複数の基地局を有するネットワークシステムとのワイヤレス通信のために構成され、予め定義された時間フレームに選択的に符号化されおよび送信される通信データを受信するモバイルのワイヤレス送受信ユニット（ＷＴＲＵ：ｗｉｒｅｌｅｓｓ  ｔｒａｎｓｍｉｔ／ｒｅｃｅｉｖｅ  ｕｎｉｔ）であって、
受信信号の一意的な符号化により共通のタイムスロット内のそれぞれの前記受信信号に属するチャネルの評価値を生成するように各々構成されている複数のチャネルの評価器と、
前記チャネルの評価器のすべてからチャネルの評価値を受信し、および前記共通のタイムスロットに受信される各データ信号に対する前記チャネルの評価値を結合されたデータ信号に結合することにより、前記共通のタイムスロットに受信される複数の信号に共通な通信データが前記結合された信号から抽出されるように構成された結合器と
を含んでおり、一連の時間フレームの各々に複数のワイヤレス信号を受信しおよび処理し、前記共通のタイムスロット内に受信される各信号が、同一の通信データを符号化している一意的なチャネルを有するように構成された結合検出受信器
を備えたことを特徴とするモバイルのワイヤレス送受信ユニット（ＷＴＲＵ）。
【請求項２】
隣接するＷＴＲＵに対する拡散符号を前記ＷＴＲＵ自体の符号と同等またはより強い符号のみに制限するためのブラインド符号検出ユニットをさらに備えたことを特徴とする請求項１に記載の発明。
【請求項３】
前記通信信号は、時分割複信の符号分割多重接続（ＴＤＤ−ＣＤＭＡ）型に属することを特徴とする請求項２に記載のシステム。
【請求項４】
ネットワークユニットと、
前記ネットワークユニットと相互接続され、サービスの地理的な領域を有する複数の基地局と、
前記基地局とのワイヤレス通信のために構成され、前記基地局からの予め定義された時間フレームに選択的に符号化されおよび送信される通信データを受信するモバイルのワイヤレス送受信ユニット（ＷＴＲＵ）と
を備え、前記ＷＴＲＵが、
受信信号の一意的な符号化により共通のタイムスロット内のそれぞれの前記受信信号に属するチャネルの評価値を生成するように各々構成されている複数のチャネルの評価器と、
前記チャネルの評価器のすべてからチャネルの評価値を受信し、および前記共通のタイムスロットに受信される各データ信号に対する前記チャネルの評価値を結合されたデータ信号に結合することにより、前記共通のタイムスロットに受信される複数の信号に共通な通信データが前記結合された信号から抽出されるように構成された結合器と
を含んでおり、一連の時間フレームの各々に１つまたは複数の通信データ搬送のワイヤレス信号を受信しおよび処理し、前記共通のタイムスロット内に受信される各信号が、同一の通信データを符号化している一意的なチャネルを有するように構成された結合検出受信器を有し、
前記ネットワークユニットが、選択される基地局のサービスの地理的な範囲内に配置されているＷＴＲＵにより、前記選択される基地局を割り当てて通信データを前記ＷＴＲＵに送信するように構成されるワイヤレス通信システム。
【請求項５】
前記通信信号は、時分割複信の符号分割多重接続（ＴＤＤ−ＣＤＭＡ）型に属することを特徴とする請求項４に記載のシステム。
【請求項６】
前記ＷＴＲＵは、隣接するＷＴＲＵおよび基地局と区別するために前記ネットワークによりそれぞれの基地局とＷＴＲＵとの対に一意的に割り当てられるミッドアンブルの符号シーケンスＭＡｉ、拡散符号Ｃｉ、およびスクランブル符号Ｓｉを含んでいるデータ通信、および誤り低減のための畳み込み符号化またはターボ符号化を伝えるアップリンクチャネルおよびダウンリンクチャネル上で第１および第２の基地局と併せて通信し、
第１のチャネルの評価器は、第１のミッドアンブルＭＡ１に応答する前記第１の基地局からのダウンリンクチャネルの第１のチャネルの評価値を生成するように構成され、
第２のチャネルの評価器は、第２のミッドアンブルＭＡ２に応答する前記第２の基地局からのダウンリンクチャネルの第２のチャネルの評価値を生成するように構成され、
前記結合器は、
前記チャネルの評価値を受信し、前記第１の基地局について第１の拡散符号および第１のスクランブル符号を用い、ならびに前記第２の基地局について第２の拡散符号および第１のスクランブル符号を用いて、前記第１および第２の基地局から受信されるデータを併せて検出して、ソフト結合したデータ信号を出力するように構成されたデータの評価器と、
前記ソフト結合されたデータ信号の畳み込み符号化またはターボ符号化を復号して、前記第１および第２の基地局により送信される再構築されたデータ信号を生成するように構成された復号器と
を含むことを特徴とする請求項４に記載のシステム。
【請求項７】
前記第２の基地局は、複数のＷＴＲＵおよび少なくとも１つのモバイルのＷＴＲＵとソフトハンドオーバにおいて通信し、
前記ミッドアンブル符号により各ＷＴＲＵからの個々のアップリンク信号を処理するように構成された複数のチャネルの評価器と、
前記第２の基地局とのアップリンクの通信におけるＷＴＲＵに関連付けられた複数のスクランブル符号および拡散符号により前記チャネルの評価値を処理するデータの評価器と、
前記データの評価器の出力信号に属する畳み込み符号化またはターボ符号化を復号して、前記アップリンクの通信において送信される再構築されたデータ信号を生成する復号器と
を含んでいる結合検出受信器
を含むことを特徴とする請求項６に記載のシステム。
【請求項８】
前記別個のスクランブル符号は、前記ソフトハンドオーバにおけるＷＴＲＵに関連付けられた第３のスクランブル符号であり、および前記第２の基地局とのアップリンクの通信における隣接するＷＴＲＵに関連付けられた第４のスクランブル符号であることを特徴とする請求項７に記載のシステム。
【請求項９】
サービスの地理的な領域を有している複数の基地局を有するネットワークシステムとのワイヤレス通信のために構成され、予め定義された時間フレームに選択的に符号化されおよび送信される通信データを受信する、モバイルのワイヤレス送受信ユニット（ＷＴＲＵ）に対するワイヤレス通信方法であって、
複数の基地局に属する前記サービスの地理的領域内に前記ＷＴＲＵを配置するステップと、
共通のタイムスロット内で受信される各信号が、同一の通信データを符号化している一意的なチャネルを有する一連の時間フレームの各々において複数の基地局の各々からワイヤレス信号を受信するステップと、
前記受信信号の一意的な符号化により、共通の時間フレーム内で受信される各それぞれの信号のチャネルの評価値を生成するステップと、
共通のタイムスロットにおいて受信される各データ信号に対するチャネルの評価値を結合して、各それぞれの時間フレームに対する結合されたデータ信号を生成するステップと、
各それぞれの時間フレームに対する結合された信号からの各共通のタイムスロットにおいて受信される複数の信号に共通の通信データを抽出するステップと
を備えたことを特徴とする方法。
【請求項１０】
第１の基地局とのデータ通信を第２から第Ｎの基地局の通信範囲内で実行しているモバイルのワイヤレス送受信ユニット（ＷＴＲＵ）を含む、ワイヤレス通信ネットワークにおけるソフトハンドオーバを行う方法であって、
前記ＷＴＲＵにより、各基地局からの希望波受信電力（ＲＳＣＰ）の測定値を測定するステップと、
前記ネットワークにより、前記ＷＴＲＵからの受信された測定値に応答して前記ＷＴＲＵを新基地局に割り当てるステップと、
前記新基地局および前記第１の基地局により、共通のタイムスロットに同一のネットワークデータを前記ＷＴＲＵに同時に送信するステップと、
前記新基地局および前記第１の基地局により、ネットワークによる処理のために、前記ＷＴＲＵからのデータを同時に受信しおよび復調するステップと、
前記ＷＴＲＵにより、新基地局へのソフトハンドオーバが完了するまで、各基地局に対する既知のスクランブル符号および拡散符号による別個のチャネルの評価手段を用いて、前記第１の基地局および前記新基地局からの通信を併せて検出するステップと
を備えたことを特徴とする方法。
【請求項１１】
前記基地局がビーコンチャネル上で報知しおよび専用チャネル上でデータを送信し、ならびに
前記ＷＴＲＵにより、アップリンクの伝送電力制御（ＴＰＣ）のコマンド信号を前記第１の基地局と前記新基地局との両方に送信するステップと、
前記ネットワークにより、少なくとも１つの基地局が誤りのないメッセージを受信することを保証するために、前記第１の基地局および前記新基地局に対する目標ＳＩＲ信号を調節するステップと、
前記ＷＴＲＵにより、前記第１の基地局に対する第１の目標ＳＩＲおよび前記新基地局に対する第２の目標ＳＩＲを受信するステップと
をさらに備えたことを特徴とする請求項１０に記載の方法。
【請求項１２】
前記ＷＴＲＵにより、各基地局を巡回し、ビーコンチャネル電力を周期的に測定し、およびデータを読み取るステップと、
前記ネットワークにより、前記ビーコンチャネルの受信する報知信号と各基地局からの専用チャネルのデータとの間に矛盾がないことを保証するために、すべての報知タイムスロットを同時発生させるように配置するステップと
をさらに備えたことを特徴とする請求項１１に記載の方法。
【請求項１３】
新基地局が通信範囲の第１のセクタから通信範囲の第２のセクタへのＷＴＲＵのソフターハンドオーバを実行し、および
前記ＷＴＲＵにより、基地局の各セクタから希望波受信電力（ＲＳＣＰ）の測定値を測定するステップと、
前記ネットワークにより、前記ＷＴＲＵから受信された測定値に応答して、前記ＷＴＲＵを前記基地局の第２のセクタに割り当てるステップと、
前記基地局の第２のセクタおよび前記基地局の第１のセクタにより、共通のタイムスロットに同一のネットワークデータを前記ＷＴＲＵへ同時に送信するステップと、
前記基地局により、前記基地局の第１および第２のセクタにより受信される前記ＷＴＲＵからのアップリンクの通信を併せて検出し、ネットワークによる処理のために前記ＷＴＲＵからのデータをソフト結合して復調するステップと、
前記ＷＴＲＵが、前記基地局の新セクタへのソフターハンドオーバが完了するまで、基地局の各セクタに対する既知のスクランブル符号および拡散符号に基づく個別のチャネルの評価手段を用いて、前記基地局の第１のセクタおよび前記基地局の第２のセクタからの通信を併せて検出するステップと
をさらに備えたことを特徴とする請求項１０に記載の方法。
【請求項１４】
前記基地局がビーコンチャネル上で報知しおよび専用チャネル上でデータを送信し、ならびに
前記ＷＴＲＵにより、測定したＳＩＲによるアップリンクの送信電力制御（ＴＰＣ）のコマンド信号を送信するステップと、
前記基地局により、前記基地局の第１および第２のセクタにおいて並列ＴＰＣコマンド信号を受信し、前記並列ＴＰＣコマンドをソフト結合しおよび復号して、ネットワークに対する合成ＴＰＣコマンドを生成するステップと、
前記ＷＴＲＵにより、前記ＷＴＲＵの送信電力を制御するために前記ネットワークによって調節されおよび生成され、前記基地局の第１および第２のセクタの両方から並列に前記ＷＴＲＵに送信される目標ＳＩＲを受信するステップと、
前記ＷＴＲＵにより、前記目標ＳＩＲを達成するのに必要な最小電力に送信電力を調節するステップと
をさらに備えたことを特徴とする請求項１３に記載の方法。
【発明の詳細な説明】
【技術分野】
【０００１】
本発明は、一般には、ワイヤレス通信システムにおけるハンドオーバに関し、より詳細には、ＴＤＤ−ＣＤＭＡ（ｔｉｍｅ  ｄｉｖｉｓｉｏｎ  ｄｕｐｌｅｘ−ｃｏｄｅ  ｄｉｖｉｓｉｏｎ  ｍｕｌｔｉｐｌｅ  ａｃｃｅｓｓ）ネットワークにおけるソフトハンドオーバおよびソフターハンドオーバに関する。
【背景技術】
【０００２】
基地局、ワイヤレス送受信ユニット（ＷＴＲＵ：ｗｉｒｅｌｅｓｓ  ｔｒａｎｓｍｉｔ／ｒｅｃｅｉｖｅ  ｕｎｉｔ）およびモバイルユニットの用語は、一般的な意味において使用する。本明細書において使用する場合には、ワイヤレス送受信ユニット（ＷＴＲＵ）は、制限されないが、ユーザ機器、移動端末、移動局固定または加入者ユニット、ページャ、またはワイヤレス環境において動作可能な他のあらゆる種類のデバイスを含む。ＷＴＲＵは、電話、ビデオ電話、およびネットワーク接続を有するインターネット対応電話など、パーソナル通信デバイスを含む。さらに、ＷＴＲＵは、ＰＤＡ、および類似のネットワーク機能を有するワイヤレスモデムを有するノートブックコンピュータなど、ポータブルパーソナルコンピュータデバイスを含む。ポータブルであるか、または他の方法で場所を変えることのできるＷＴＲＵを、モバイルユニットと呼ぶ。以下で参照する場合には、基地局は、制限されないが、基地局、ノードＢ、サイトコントローラ、アクセスポイント、またはワイヤレス環境における他のインターフェイスデバイスを含む、ＷＴＲＵである。
【０００３】
第３世代パートナーシッププログラム（３ＧＰＰ）または３ＧＰＰ型（３ＧＰＰ−ｌｉｋｅ）システムにおいて、時分割複信（ＴＤＤ）のワイヤレス通信は、スクランブル符号、拡散符号およびミッドアンブル（ｍｉｄａｍｂｌｅ）として知られる予め定められたトレーニンクシーケンスにより符号化されており、これらは元の送信信号を再構築するのに有用である。各基地局セルは、一意的なスクランブル符号を使用して、特定の基地局と、それがサービスするＷＴＲＵとの間のリンクを確立する場合、ネットワーク内の基地局同士を区別する。拡散符号は、各ＷＴＲＵデータを断片にして、他のＷＴＲＵと同じ周波数帯にわたって拡散することに関係し、同時にそれぞれのデータ信号に一意的な拡散符号をタグ付けして、データを受信器において再構築することを可能にする。ミッドアンブルは、チャネルの評価時に受信器において使用される既知の符号シーケンスを含む、時分割チャネルタイムスロットの専用部分である。
【０００４】
多くのワイヤレス通信システムにおいて、多くの通信は、同じワイヤレス周波数スペクトルを共有することができる。特定の通信を受信する場合、同じスペクトルを使用する他のすべての通信は、特定の通信に対する干渉を生じさせる。結果として、１つの通信の送信電力レベルを増加させると、スペクトル範囲における他のすべての通信の信号品質を劣化させる。しかしながら、送信電力レベルを低減しすぎると、受信器における信号対干渉比（ＳＩＲ：ｓｉｇｎａｌ  ｔｏ  ｉｎｔｅｒｆｅｒｅｎｃｅ  ｒａｔｉｏ）により測定されるなど、望ましくない受信信号品質を得ることになる。そのようなシステムにおいて、送信電力制御アルゴリズムが使用される。
【０００５】
ワイヤレス通信システムに対する開ループおよび閉ループの電力制御の様々な方法が当技術分野において知られている。そのようなシステムの目的は、フェージンク伝播チャネル（ｆａｄｉｎｇ  ｐｒｏｐａｇａｔｉｏｎ  ｃｈａｎｎｅｌ）と時間変化（ｔｉｍｅ−ｖａｒｉｎｇ）の干渉との存在下で、送信器電力を迅速に変化させて、送信器電力を最小化すると同時に、リモートエンドにおいて許容できる品質でデータを受信することを保証することである。１つの手法は、送信電力制御を、外部ループ電力制御（ＯＬＰＣ：ｏｕｔｅｒ  ｌｏｏｐ  ｐｏｗｅｒ  ｃｏｎｔｒｏｌ）および内部ループ電力制御（ＩＬＰＣ：ｉｎｎｅｒ  ｌｏｏｐ  ｐｏｗｅｒ  ｃｏｎｔｒｏｌ）と呼ばれる、別個のプロセスに分割するものである。
【０００６】
外部ループ電力制御において、特定の送信器の電力レベルは、目標ＳＩＲ値に基づいている。受信器が送信を受信すると、受信信号の品質が測定される。送信された情報は、トランスポートブロック（ＴＢ：ｔｒａｎｓｐｏｒｔ  ｂｌｏｃｋ）のユニットに送られて、受信信号品質を、ブロック誤り率（ＢＬＥＲ：ｂｌｏｃｋ  ｅｒｒｏｒ  ｒａｔｅ）ベースで監視することができる。ＢＬＥＲは、受信器によって、通常、データの巡回冗長検査（ＣＲＣ）を用いて評価される。評価されたＢＬＥＲは、チャネル上の様々な種類のデータサービスに対するサービス品質（ＱｏＳ：ｑｕａｌｉｔｙ  ｏｆ  ｓｅｒｖｉｃｅ）要件を表わす目標ＢＬＥＲなど、目標品質要件と比較される。測定された受信信号品質に基づいて、目標ＳＩＲの調節制御信号が送信器に送られる。送信器は、これらの調節要求に応じて、目標ＳＩＲを調節する。
【０００７】
時間分割複信（ＴＤＤ）モードを利用する３ＧＰＰの広帯域符号分割多重接続（Ｗ−ＣＤＭＡ）システムにおいて、ネットワークは、コール／セッション確立ではＷＴＲＵに初期の目標ＳＩＲを設定して、のちにアップリンク（ＵＬ）のＢＬＥＲ測定の観察により命令されるとおり、コールの存続期間中にＷＴＲＵの目標ＳＩＲを連続的に調節する。
【０００８】
内部ループ電力制御において、受信器は、ＳＩＲなどの受信信号品質の測定値を、閾値（すなわち、目標ＳＩＲ）と比較する。ＳＩＲが閾値を超える場合には、電力レベルを低下させる送信電力コマンド（ＴＰＣ）を送信する。ＳＩＲが閾値より低い場合には、電力レベルを増大させるＴＰＣを送信する。通常、ＴＰＣは、送信器に対する専用チャネルにおけるデータと多重化されている。受信ＴＰＣに応答して、送信器は送信電力レベルを変更する。
【０００９】
図１は、基地局ＢＳ１およびＢＳ２、ならびにＷＴＲＵ１、ＷＴＲＵ２およびＷＴＲＵ３を含む、ワイヤレスネットワーク構成の一部分のブロック図を示す。基地局は、通信ネットワークとＷＴＲＵの間のリンクである。ネットワーク（図示せず）の役割は、情報を正しい目的地にルーティングすること、複数の基地局を監督すること、基地局により提供されるワイヤレス無線サービス範囲の地理的領域内における無線リソースを管理すること、および基地局とＷＴＲＵとの間のインターフェイス用の物理的な無線リソースを制御することである。基地局ＢＳ１は領域１１において送信し、基地局ＢＳ２は領域１２において送信し、および領域１３は２つの基地局間の重複領域を表わし、領域１３にＷＴＲＵ１が存在する。この例において、ＷＴＲＵ１は移動可能であり、領域１１から領域１２に移動している。したがって、ＷＴＲＵ１は、ハンドオーバに関する候補であり、同時に領域１１のＷＴＲＵ３および領域１２のＷＴＲＵ２は、それらにそれぞれ関連する基地局ＢＳ１、ＢＳ２と適切に通信するように位置している。
【００１０】
図２は、ソフターハンドオーバ（ｓｏｆｔｅｒ  ｈａｎｄｏｖｅｒ）下で動作するワイヤレスネットワークの一部分のブロック図を示す。ソフターハンドオーバにおいて、単一基地局の２つ以上のセクタが、ＷＴＲＵの信号を送受信する。ここで、基地局ＢＳは、セクタ２１、２２に従って送受信する。ＷＴＲＵ２がセクタ２２に存在し、ＷＴＲＵ３がセクタ２１に存在する間、それらの位置では、それらの基地局セクタのそれぞれとの効率的な通信が可能であるので、ハンドオーバの必要がない。しかしながら、ＷＴＲＵ１は重複領域２３に存在し、ＷＴＲＵ１はセクタ２１とセクタ２２の両方の範囲に入る。したがって、ＷＴＲＵ１は、セクタ２１とセクタ２２の間を移動する場合、ソフターハンドオーバに関する候補である。
【００１１】
ＷＴＲＵのハンドオーバを管理し制御することの必要性は、電気通信ネットワークにおいて最重要となるものである。ＩＳ−９５、ＣＤＭＡ２０００および３ＧＰＰのＷＣＤＭＡを含む、ＦＤＤ−ＣＤＭＡネットワークにおいて、ソフトハンドオーバ（ＳＨＯ：ｓｏｆｔ  ｈａｎｄｏｖｅｒ）を使用することが知られている。ソフトハンドオーバは、２つ以上の基地局（ＢＳ）から同等の電力が受信される場所にＷＴＲＵがある場合、性能を改善することができる。
【発明の開示】
【発明が解決しようとする課題】
【００１２】
現在、標準化された３ＧＰＰのＴＤＤ  ＷＣＤＭＡシステムにおいて、ハードハンドオーバだけが、高チップレートおよび低チップレートの別形（ｖａｒｉａｎｔ）の両方に対してサポートされている。ハードハンドオーバにおいて、ＷＴＲＵ１と基地局ＢＳ１およびＢＳ２との間の信号の送受信は、ソフトハンドオーバにおける場合、またはソフターハンドオーバにおけるセクタ２１とセクタ２２との間のように円滑には行われない。ハードハンドオーバにおいて、第２の基地局またはセクタへの通信の移行は、最初の通信がＷＴＲＵ１において終了した場合にのみ、開始することができる。ソフトハンドオーバをＴＤＤ  ＣＤＭＡネットワークに実装する方法を提供することによって、容量と有効範囲が増大すると考えられる。
【課題を解決するための手段】
【００１３】
選択的に符号化されおよび予め定義された時間フレームにおいて送信される通信データをＷＴＲＵが受信する複数の基地局を有するネットワークシステムにおけるワイヤレス通信に関する装置、システムおよび方法を提供する。ＷＴＲＵは、結合検出器の受信器（ｊｏｉｎｔ  ｄｅｔｅｃｔｏｒ  ｒｅｃｅｉｖｅｒ）を有し、結合検出器の受信器は、複数のダウンリンクのワイヤレス信号を受信かつ処理し、共通のタイムスロット内で受信される各信号は、複数の基地局から同一の通信データを符号化している一意的なチャネルを有している。複数のチャネルの評価器は、受信信号の一意的な符号化に基づき、共通のタイムスロット内のそれぞれの受信信号のチャネルの評価値を生成する。結合器は、すべてのチャネルの評価器からチャネルの評価値を受信し、および共通のタイムスロット内で受信される各データ信号に対するデータの評価値を、結合されたデータ信号に結合することによって、共通のタイムスロットにおいて受信される複数の信号に共通の通信データが、結合された信号から抽出される。
【００１４】
ソフトハンドオーバにおけるモバイルのＷＴＲＵが新規に割り当てられる基地局は、結合検出受信器を有する。結合検出受信器は、新規に割り当てられた基地局の地理的領域またはセルの範囲内で各ＷＴＲＵからの個々のアップリンク信号を処理するように構成された複数のチャネルの評価器を含む。ミッドアンブル符号は、チャネルの評価器によって処理され、アップリンク信号のチャネルの評価値を生成する。さらに、基地局の受信器は、データの評価器を含み、データの評価器は、基地局とのアップリンクの通信におけるＷＴＲＵに関連付けられた複数のスクランブル符号および拡散符号によりチャネルの評価値を処理する。データの評価器は、基地局に割り当てられたすべてのＷＴＲＵにより使用される基地局自体の割当てスクランブル符号Ｓｎｅｗと、ソフトハンドオーバにおけるＷＴＲＵに関連付けられたスクランブル符号Ｓｏｌｄの両方を処理するように構成され、この符号は、ＷＴＲＵの最初に割り当てられた基地局に関連付けられ、この基地局もソフトハンドオーバに参加している。最後に、復号器を使用して、データの評価器出力信号の畳み込み符号化またはターボ符号化を復号して、アップリンクの通信において送信される再構築されたデータ信号を生成する。
【発明を実施するための最良の形態】
【００１５】
実施形態は、時分割複信（ＴＤＤ）モードを使用する、第３世代パートナーシッププログラム（３ＧＰＰ）広帯域符号分割多重接続（Ｗ−ＣＤＭＡ）システムと関連して説明するが、これらの実施形態は、ＴＤ−ＳＣＤＭＡを含む、任意のタイムスロット付きまたはハイブリッド符号分割多重接続（ＣＤＭＡ）／時分割多元接続（ＴＤＭＡ）通信システムに応用可能である。
【００１６】
図３は、ソフトハンドオーバを実行している、ＴＤＤ−ＣＤＭＡの順序メッセージンク（ｓｅｑｕｅｎｃｅｄ  ｍｅｓｓａｇｉｎｇ）を示す図である。ソフトハンドオーバに関与するエンティティは、ネットワーク、ＷＴＲＵ、第１（旧）基地局および第２（新）基地局である。図１に示す構成を参照すると、ＷＴＲＵ１は代表ＷＴＲＵであり、基地局ＢＳ１は、ＷＴＲＵ１がそれと最初に通信を確立した旧基地局であり、ＢＳ２はモバイルのＷＴＲＵ１がそれに向かって移動している新基地局である。ＷＴＲＵ１および基地局ＢＳ１、ＢＳ２の両方は、マルチパスを経由して受信した信号を結合する受信器を使用する。
【００１７】
交換は、ライン３１、３２において始まり、ここで基地局ＢＳ１，ＢＳ２用の報知チャネル（ＢＣＨ：ｂｒｏａｄｃａｓｔ  ｃｈａｎｎｅｌ）上のネットワーク信号は、好ましくは１次共通制御物理チャネル（Ｐ−ＣＣＰＣＨ：ｐｒｉｍａｒｙ  ｃｏｍｍｏｎ  ｃｏｎｔｒｏｌ  ｐｈｙｓｉｃａｌ  ｃｈａｎｎｅｌ）として構成されたビーコン信号として、ＷＴＲＵ１によって受信される。この交換は、アップリンクの内部ループ電力制御（ＵＰ−ＩＬＰＣ）の文脈の範囲である。次にライン３３において、ＷＴＲＵ１は、ビーコン信号からの希望波受信電力（ＲＳＣＰ：ｒｅｃｅｉｖｅｄ  ｓｉｇｎａｌ  ｃｏｄｅ  ｐｏｗｅｒ）を測定して、旧基地局ＢＳ１を経由してＲＳＣＰ測定値をネットワークに送信する。簡単にするために、この例を２つの基地局の文脈で説明する。しかしながら、ＷＴＲＵ１は、すべての隣接基地局が送信するビーコン信号の信号強度を連続的に監視し、それらのＲＳＣＰをそれぞれ測定している。これらの測定値は、ネットワークに報告される。報告された測定値に基づいて、ネットワークは、新基地局ＢＳ２をＷＴＲＵ１のソフトハンドオーバ（ＳＨＯ）の候補として認識し、それに応じてＷＴＲＵ１のためにＳＨＯを使用することを決定する。新基地局ＢＳ２は、ＳＨＯのためのＷＴＲＵ１への新規割当ての通知を受信する（ライン３４）。ネットワークは、今ＳＨＯに入ろうとしているＷＴＲＵ１のスクランブル符号および拡散符号をＢＳ２に通知する。ＷＴＲＵ１は、ＢＳ１を介して、ＢＳ２がＳＨＯに割り当てられたことを通知され、それには、好ましくはダウンリンクの専用物理制御チャネル（ＤＬ−ＤＰＣＣＨ：ｄｏｗｎｌｉｎｋ  ｄｅｄｉｃａｔｅｄ  ｐｈｙｓｉｃａｌ  ｃｏｎｔｒｏｌ  ｃｈａｎｎｅｌ）上で送られる、新基地局ＢＳ２が使用するスクランブル符号および拡散符号が含まれる。この時点で、ＷＴＲＵ１と両基地局ＢＳ１、ＢＳ２との間の同時通信リンクがＳＨＯのために確立される。
【００１８】
ダウンリンクの通信データは、ライン３６で示すように、好ましくはダウンリンクの専用物理チャネル（ＤＬ−ＤＰＣＨ：ｄｏｗｎｌｉｎｋ  ｄｅｄｉｃａｔｅｄ  ｐｈｙｓｉｃａｌ  ｃｈａｎｎｅｌ）上で、両基地局ＢＳ１、ＢＳ２を介してネットワークからＷＴＲＵ１へと交換される。ＢＳ１およびＢＳ２からの両ダウンリンクデータ通信送信は、所定のフレーム番号で、かつ共通のタイムスロット内で行われるように同期される。このパラレルダウンリンク通信上のデータは同一であり、両基地局ＢＳ１、ＢＳ２によって送信される。
【００１９】
ＷＴＲＵ１での結合検出（ＪＤ：ｊｏｉｎｔ  ｄｅｔｅｃｔｉｏｎ）受信器は、既知のスクランブル符号を使用して、ＢＳ１およびＢＳ２の各基地局に対して異なるチャネルの評価を実行する。一代替実施形態においては、ＷＴＲＵ１は、ブラインド符号検出を含むことにより、ＪＤ受信器用の符号をプログラムする場合、他のＷＴＲＵ用の拡散符号を自体の符号と同等またはより強く制限することが可能であり、結果として性能を改善する。
【００２０】
好ましくはアップリンクの専用物理チャネル（ＵＬ−ＤＰＣＨ）上の、ＷＴＲＵ１からのアップリンクの通信データは、両ＳＨＯ基地局ＢＳ１、ＢＳ２によって受信され、これらの基地局は信号を復号して結果をネットワークに送信する（ライン３７）。受信時に、ネットワークは、受信したデータについて巡回冗長検査（ＣＲＣ）試験を実行する。ＣＲＣ検出誤りのない１組の受信器データが、維持されてコアネットワークへ伝えられる。
【００２１】
閉ループ外部ループ電力制御を、３ＧＰＰ  ＴＤＤ−ＷＤＣＭＡの両チップレートの別形（ｃｈｉｐ−ｒａｔｅ  ｖａｒｉａｎｔ）に対してのダウンリンク対して使用する。ＷＴＲＵは、ＪＤ受信器の結合出力に対する受信ＳＩＲを測定する。次いでＷＴＲＵは、上下送信電力制御（ＴＰＣ）コマンドを基地局ＢＳ１、ＢＳ２に送信する（ライン３８）。基地局は、このＴＰＣコマンドを復号して、それに応じてそれらの送信電力を調節する。
【００２２】
開ループ内部ループ電力制御が、高チップレートの別形を使用する３ＧＰＰ  ＴＤＤ−ＷＣＤＭＡ用アップリンクに使用される。ＷＴＲＵは、各基地局ビーコンチャネルからの受信電力を測定して、定期的に報告される各基地局の干渉電力を読み取り、ＳＨＯにおいて各基地局における表示される目標ＳＩＲを達成するのに十分な電力で送信する。これを行うために、ＷＴＲＵ１は各基地局を巡回して、定期的にビーコン電力を測定し、データを読み取る。ネットワークは、ＳＨＯにおける各基地局ＢＳ１、ＢＳ２からの受信報知データと、ＷＴＲＵ１の専用トラフィックタイムスロットとの間に矛盾がないことを保証する。好ましくは、これは、全報知タイムスロットを同時発生させることによって達成する。ＷＴＲＵ１は、ＢＳ１およびＢＳ２における目標ＳＩＲを達成するのに要する最小電力で送信する。ライン３９に示すように、ネットワークは、少なくとも、誤りなしのメッセージを受信することを保証する試みとして、各基地局に対する目標ＳＩＲを調節する。ＷＴＲＵ１は、好ましくはＤＬ−ＤＰＣＣＨ上で目標ＳＩＲを受信する。
【００２３】
図４は、図３を参照して説明したソフトハンドオーバと類似する、ソフターハンドオーバを実行中のＴＤＤ−ＣＤＭＡネットワークの順序メッセージンクの図を示す。ソフターハンドオーバにおける関係エンティティは、ネットワーク、ＷＴＲＵ、第１（旧）の基地局セクタおよび第２（新）の基地局セクタである。図２に示す構成を参照すると、ＷＲＴＵ１は代表ＷＴＲＵであり、セクタ２１は、それを用いてＷＲＴＲＵ１が最初に通信を確立した旧基地局であり、セクタ２２はモバイルのＷＴＲＵ１がそれに向かって移動している新基地局である。
【００２４】
交換は、ライン４１、４２において始まり、そこで旧および新の基地局セクタ２１、２２に対するＢＣＨ上のネットワーク信号を、ＷＴＲＵ１が、Ｐ−ＣＣＰＣＨとして構成されたビーコン信号として受信する。この交換は、ＵＬ−ＩＬＰＣの文脈の範囲内のものである。次に、ライン４３において、ＷＴＲＵ１はビーコン信号からのＲＳＣＰを測定して、ＲＳＣＰ測定値を、旧基地局セクタ２１を経由してネットワークに送信する。簡単にするために、この例は、２つの基地局セクタの文脈で説明する。しかしながら、基地局は３つ以上のセクタを有してもよく、その場合にはＷＴＲＵ１は、すべての隣接基地局セクタが送信するビーコン信号の信号強度を連続的に監視して、それら各々のＲＳＣＰを測定する。これらの測定値は、ネットワークに報告される。報告された測定値に基づいて、ネットワークは、新基地局セクタ２２をＷＴＲＵ１のソフターＨＯの候補として認識し、それに応じてＷＴＲＵ１のためにソフターＨＯを使用することを決定する。新基地局セクタ２２は、ソフターＨＯに対する、ＷＴＲＵ１への新規割当ての通知を受信する（ライン４４）。ネットワークは、新基地局セクタ２２に、今ソフターＨＯに入ろうとするＷＴＲＵ１のスクランブル符号および拡散符号を知らせる。ＷＴＲＵ１は、旧基地局セクタ２１を介して、新基地局セクタ２２がソフターＨＯに割り当てられたことを、好ましくはＤＬ−ＤＰＣＣＨ上で送られて、新基地局セクタ２２によって使用されるスクランブル符号および拡散符号を含めて通知される（ライン４５）。この時点で、ＷＴＲＵ１と両基地セクタ２１，２２との間の同時通信リンクが、ソフターＨＯのために確立される。
【００２５】
ダウンリンク通信データは、両基地局セクタ２１，２２を介して、好ましくはＤＬ−ＤＰＣＨ上で、ライン４６に示すように、ネットワークからＷＴＲＵ１に交換される。基地局セクタ２１、２２からのダウンリンクデータ通信送信は、所定のフレーム番号で行われるように同期される。この並列ダウンリンク通信上のデータは同一であるが、それぞれの基地局セクタに特有の異なるスクランブル符号を用いて、両基地局セクタによって送信される。ＷＴＲＵ１のＪＤ受信器は、既知のスクランブル符号を使用して、各基地局セクタ２１、２２に対して異なるチャネルの評価を実行する。ＷＴＲＵは、また、ブラインド符号検出を使用して、ＪＤ受信器に対する符号をプログラミンクする場合、他のＷＴＲＵの符号を、それ自体の符号と同等か、またはそれより強いものだけに制限し、これによって成績が向上することになる。
【００２６】
好ましくはＵＬ−ＤＰＣＨ上での、ＷＴＲＵ１からのアップリンクの通信データは、基地局ＢＳにおいてＪＤ受信器によって受信され、このＪＤ受信器がセクタ２１、２２の並列データを復号、ソフト結合して結果をネットワークに送信する（ライン４７）。受信すると、ネットワークは、受信データに対してＣＲＣ試験を実行する。ＣＲＣ検出誤りのない、１組の受信データが維持されて、コアネットワークに伝えられる。ここで、基地局ＢＳにおいて実行されるデータ結合が理由で、ソフターＨＯのために、１組のデータだけがＷＴＲＵ１から受信されることに留意されたい。
【００２７】
ソフターＨＯダウンリンクのために使用される閉ループ電力制御に対して、ＷＴＲＵ１は、ＪＤ受信器の結合出力に対する受信ＳＩＲを測定する。次いで、ＷＴＲＵ１はＴＰＣコマンドを基地局ＢＳに送信し（ライン４８）、それは各基地局セクタ２１、２２で受信される。基地局ＪＤ受信器は、これらの並列ＴＰＣコマンドをソフト結合、復号して、ネットワークに対する合成されたＴＰＣコマンドを生成する。
【００２８】
ソフターＨＯに使用される開ループ内部ループ電力制御に対して、ＷＴＲＵは、各基地局セクタのビーコンチャネルからの受信電力を測定し、定期的に報告される各基地局セクタの干渉電力を読み取り、ＨＯにおける各基地局セクタにおいて表示される目標ＳＩＲを達成するために十分な電力で送信する。これを行うためには、ＷＴＲＵ１は、各基地局セクタを巡回して、ビーコン電力を定期的に測定し、データを読み取る。ネットワークは、ソフターＨＯにおいて各基地局セクタ２１、２２からの報知データを受信することと、ＷＴＲＵ１の専用トラフィックタイムスロットとの間に矛盾はないことを保証する。これは、好ましくは、すべての報知タイムスロットを同時発生するように配置することによって達成される。ＷＴＲＵ１は、セクタ２１、２２における目標ＳＩＲを達成するのに必要な最低電力で送信する。ライン４９に示すように、ネットワークは、基地局ＢＳに対する目標ＳＩＲを調節し、この目標ＳＩＲはセクタ２１、２２の両方に対して同じである。ＷＴＲＵ１は、各基地局セクタ２１、２２から好ましくはＤＬ−ＤＰＣＣＨ上で目標ＳＩＲを受信する。
【００２９】
図３および図４は、ソフトハンドオーバおよびソフターハンドオーバに対して別個のプロセスとして記述されているが、本発明による基地局は、１つまたは複数のＷＴＲＵに対して、ソフトハンドオーバおよびソフターハンドオーバの両方を同時に実行することができることを理解すべきである。
【００３０】
図５は、ネットワークコントローラＮ、基地局ＢＳ１、ＢＳ２、およびモバイルユニットＷＴＲＵ１、ＷＴＲＵ２、ＷＴＲＵ３を有する、ＳＨＯ実行中のネットワーク構成のブロック図を示す。基地局ＢＳ１は、符号器５１および送信器６１を有する。基地局ＢＳ２は、符号器６２および送信器６１を有する。各基地局ＢＳ１、ＢＳ２は、ネットワークによって割り当てられる、スクランブル符号Ｓｂｉおよび拡散符号Ｃｂｉ、ならびにミッドアンブル符号ＭＡｂｉを使用する。ネットワークは、選択される基地局の幾何学的サービス領域に従って、ＷＴＲＵ１、ＷＴＲＵ２およびＷＴＲＵ３を基地局ＢＳ１およびＢＳ２に割り当てる。複数拡散符号が通常使用されるが、本明細書では簡単にするために、１つの符号だけを説明する。各ＷＴＲＵは、スクランブル符号Ｓｂｉ、拡散符号Ｃｂｉおよびミッドアンブル符号ＭＡｂｉを使用して、セルにサービスを提供する各基地局によって使用されるものと一致させる。
【００３１】
基地局ＢＳ２によるサービスを受けるＷＴＲＵ２は、ＢＳ２が使用するスクランブル符号である、１次スクランブル符号Ｓｕ２、拡散符号Ｃｂ２およびＷＴＲＵ２に一意的に割り当てられる、ミッドアンブルＭＡｂ２を使用する。基地局ＢＳ１によるサービスを受ける、ＷＴＲＵ３は、基地局ＢＳ１のスクランブル符号である、１次スクランブル符号Ｓｂｉ、拡散符号Ｃｂ３およびミッドアンブルＭＡｂ３を使用し、これらはＷＴＲＵ３に一意的に割り当てられている。
【００３２】
ここで、基地局ＢＳ１およびＢＳ２の両方とＳＨＯ状態にある、ＷＴＲＵ１について考察する。ＷＴＲＵ１は、スクランブル符号Ｓｂｉを使用するが、それは、ＷＴＲＵ１は最初にＢＳ１のサービスを受け、ＷＴＲＵ１に一意的に割り当てられた拡散符号Ｃｂ１およびミッドアンブルＭＡｂｉを使用するからである。基地局ＢＳ２と通信するために、ＷＴＲＵ１は、Ｓｂ１も使用するが、異なる拡散符号およびミッドアンブル符号、Ｃｂ４およびＭＡｂ４と共に使用する。
【００３３】
ネットワークコントローラＮを介して、ネットワークはＷＴＲＵ１のためのＤＡＴＡ１およびＷＴＲＵ３のためのＤＡＴＡ３を、基地局ＢＳ１に送り、そこでそれは、拡散符号Ｃｂ１、Ｃｂ３、スクランブル符号Ｓｂ１、およびミッドアンブルＭＡｂ１、ＭＡｂ３を用いてそれぞれ符号器５１において処理される。結合された信号は、ワイヤレスチャネルにマッピンクされ、送信器６１において送信される。
【００３４】
同時に、ネットワークコントローラＮは、ＷＴＲＵ１のための複製データを、ＷＴＲＵ２のためのデータと共に、基地局ＢＳ２に送信する。符号器６２において、スクランブル符号Ｓｂ１、拡散符号Ｃｂ４およびミッドアンブルＭＡｂ４が、ＷＴＲＵ１のためのデータ信号に適用され、同時に符号Ｓｂ２、Ｃｂ２およびミッドアンブルＭＡｂ２が、ＷＴＲＵ２のためのデータ信号に適用される。各ＷＴＲＵ１、ＷＴＲＵ２およびＷＴＲＵ３は、ダウンリンクデータ信号を受信して、信号を復調および復号処理をして、ネットワークコントローラＮによって送られたデータ信号ＤＡＴＡ１、ＤＡＴＡ２、ＤＡＴＡ３を再構築する。ＷＴＲＵ１によって受信される共通ダウンリンクデータは、基地局ＢＳ１からのＤＬ１および基地局ＢＳ２からのＤＬ２として示してある。
【００３５】
図６は、ＳＨＯにおけるＷＴＲＵ１でのダウンリンク信号処理のための、結合検出（ＪＤ）受信器のブロック図を示す。ＷＴＲＵ１のＪＤ受信器は、一連の時間フレームのそれぞれにおいて、複数のワイヤレス信号を受信して処理するように構成されている。各信号は、共通時間フレームおよびタイムスロット範囲で受信される。図５を参照して説明したように、同一の通信データの一意的なチャネル符号化によって、信号の源を、ＳＨＯ中のＢＳ１またはＢＳ２からとして、あるいはソフターＨＯ中の基地局セクタ２１または２２からとしての、いずれであるかが区別される。ＪＤ受信器は、チャネルの評価器ＣＨＥＳＴ  Ｗ１１、ＣＨＥＳＴ  Ｗ１２、データの評価器６５および復号器６６を有する。２つのチャネルの評価器ＣＨＥＳＴ  Ｗ１１およびＣＨＥＳＴ  Ｗ１２は、基地局ＢＳ１、ＢＳ２からのダウンリンク信号ＤＬ１、ＤＬ２をそれぞれ受信する。基地局ＢＳ１からのチャネルを評価するのにミッドアンブルＭＡｂ１を、基地局ＢＳ２に対してＭＡｂ４を使用して、ＣＨＥＳＴ  Ｗ１１およびＣＨＥＳＴ  Ｗ１２は、２つのチャンネルの評価値ｈ１およびｈ２を、それぞれデータの評価器６５に供給する。データの評価器６５は、基地局ＢＳ１から送られるデータをＳｂ１およびＣｂ１を用いて、基地局ＢＳ２から送られるデータをＳｂ１およびＣｂ４を用いて、併せて検出する。結合検出は、同一のスクランブル符号Ｓｂ１を使用することによって簡単化される。データの評価器６５は、データをソフト結合し、このデータは復号器６６に送られて、そこで、畳み込み符号またはターボ符号などの、任意の誤り符号化が復号される。復号器６６における最終出力は、コアネットワークＣＮにおいて発生した状態のデータ信号ＤＡＴＡ１である。
【００３６】
図７は、図５に示す構成と同じネットワークによるＳＨＯにおけるアップリンク処理を示している。モバイルユニットＷＴＲＵ１、ＷＴＲＵ２およびＷＴＲＵ３は、スクランブル符号Ｓｕ１、Ｓｕ２およびＳｕ３をそれぞれ使用する。この割当ては、ＷＴＲＵの元の基地局所属（すなわち、ＷＴＲＵ１の元基地局割当てはＢＳ１であり、それに従ってスクランブル符号Ｓｕ１を使用すること）を反映している。モバイルユニットＷＴＲＵ１、ＷＴＲＵ２、ＷＴＲＵ３は、拡散符号Ｃｕ１、Ｃｕ２、Ｃｕ３およびミッドアンブルＭＡｕ１、ＭＡｕ２、ＭＡｕ３をそれぞれ使用する。ここで留意すべきことは、基地局セルに進入する任意の新規ＷＴＲＵは、ＷＴＲＵ１の場合と同様に、ＷＴＲＵ用の拡散符号が、現在基地局セル内にあるＷＴＲＵのそれと同一である可能性があることである。通常、同一の拡散符号は、同一の基地局セル内で２つのＷＴＲＵによって使用することはできない。しかしながら、ＳＨＯにおいては、ＷＴＲＵは異なるスクランブル符号によって区別することができる。図７を参照すると、拡散符号Ｃｕ１、Ｃｕ２が同じである場合に、基地局ＢＳ２がそれらを区別することを可能にするために、スクランブル符号Ｓｕ１、Ｓｕ２はＷＴＲＵ１およびＷＴＲＵ２に対してそれぞれ一意的である。同様に、共通拡散符号は、通常、単一の基地局セクタに送信中の２つの異なるＷＴＲＵには許可されない。しかしながら、ソフターＨＯ中には、各ＷＴＲＵは異なるスクランブル符号を有するので、基地局は、同一の拡散符号を使用する２つのＷＴＲＵを区別することができる。
【００３７】
基地局ＢＳ１の受信器は、ＭＡ１およびＭＡ３がロードされた単一のＣＨＥＳＴ  Ｂ１１を使用して、ＷＴＲＵ１とＢＳ１の間の経路に対してチャネルの評価ｈ１Ａ、ＷＴＲＵ３とＢＳ１の間の経路に対してｈ３を生成する。他方の基地局ＢＳ２は、２つのチャネルの評価器ＣＨＥＳＴ  Ｂ２１、ＣＨＥＳＴ  Ｂ２２―１つはＳＨＯ状態にないＷＴＲＵ２用、他方はＳＨＯ状態のＷＴＲＵ１用、を含む結合検出受信器を有する。ＣＨＥＳＴ  Ｂ２１は、ＷＴＲＵ１が使用するスクランブル符号Ｓ１を説明するために使用される。ＣＨＥＳＴ  Ｂ２１は、また、ＳＨＯにおけるＷＴＲＵからの信号の到着時間と、ＳＨＯにないものからの到着時間との間の、いかなるタイミンク差にも対応し、後者はタイミンクが基地局ＢＳ２によって制御されて進んでいる。チャネルの評価器ＣＨＥＳＴ  Ｂ２１は、ミッドアンブルＭＡ１を処理してチャネルの評価ｈ１Ｂを生成し、同時にチャネルの評価器ＣＨＥＳＴ  Ｂ２２はミッドアンブルＭＡ２を処理して、チャネルの評価ｈ２を生成する。
【００３８】
基地局ＢＳ１のデータの評価器７６は、スクランブル符号Ｓ１を逆スクランブルするとともに、符号Ｃ１、Ｃ３を逆拡散し、ここで復号器７５は、畳み込み符号またはターボ符号などの、任意の誤り符号化を復号することによって信号をさらに処理する。復号器７５の出力は、それぞれＷＴＲＵ１およびＷＴＲＵ３からの再構築データ信号ＤＡＴＡ１Ａ、ＤＡＴＡ３である。同様に、データの評価器７７および復号器７８は、ＷＴＲＵ１およびＷＴＲＵ２からのデータ信号ＤＡＴＡ１ＢおよびＤＡＴＡ２を再構築する。データの評価器７７が、通常、それが存在する基地局ＢＳ２に関連する単一のスクランブル符号（すなわちＳｕ２）を処理することが予期されている場合には、それには、スクランブル符号Ｓｕ２に加えてＳｕ１を処理する能力が与えられ、ＷＴＲＵ１のソフトハンドオーバが可能になる。ネットワークコントローラＮは、基地局ＢＳ１、ＢＳ２からデータ信号を受信する。ＳＨＯ状態のＷＴＲＵ１に対して、少なくとも１組のデータ（すなわち、ＤＡＴＡ１ＡまたはＤＡＴＡ１Ｂ）が、ＣＲＣ誤りなしに受信され、ネットワークコントローラＮは、誤りなしのデータセットをデータ信号ＤＡＴＡ１としてコアネットワークに伝える。
【図面の簡単な説明】
【００３９】
【図１】２つの基地局の領域と、重複領域に少なくとも１つのＷＴＲＵとを含む通信ネットワークを示すブロック図である。
【図２】２つのセクタを有する基地局と、セクタの重複領域に少なくとも１つのＷＴＲＵとを含む通信ネットワークを示すブロック図である。
【図３】ソフトハンドオーバのためのネットワーク通信メッセージ交換を示す図である。
【図４】ソフターハンドオーバのためのネットワーク通信メッセージ交換を示す図である。
【図５】ソフトハンドオーバにおける１つのＷＴＲＵとのダウンリンクの通信を実行中の通信ネットワークを示すブロック図である。
【図６】ソフトハンドオーバを処理中のＷＴＲＵの結合検出受信器を示すブロック図である。
【図７】ソフトハンドオーバにおける１つのＷＴＲＵとのアップリンクの通信を実行中の通信ネットワークを示すブロック図である。
【図１】
2007504784.tif 000003
【図２】
2007504784.tif 000004
【図３】
2007504784.tif 000005
【図４】
2007504784.tif 000006
【図５】
2007504784.tif 000007
【図６】
2007504784.tif 000008
【図７】
2007504784.tif 000009
【国際調査報告】
2007504784.tif 000010